(57)【要約】      （修正有）【課題】長期保存が可能で、ハーブボールとしてもハーブパットとしても使用できるハーブ温熱具を提供する。【解決手段】ハーブ温熱具１０は、略三角形状の布袋１２と、その内部に充填された乾燥ハーブ３０と、布袋の底辺１６の両端に設けた平紐２４Ａ，２４Ｂにより構成される。布袋の頂点１４寄りの位置には、底辺と平行に縫い目１８が設けられる。縫い目と底辺の間に乾燥ハーブが充填される。縫い目から頂点側の部分は、ボール状に丸めたときの握り部３２となる。ハーブ温熱具をパット状のまま濡らさずに温め、パットとして使用するときは、そのまま当てたい場所にハーブ温熱具を置いたり、巻いたり、挟んだりして使用する。ハーブボールとして使用するときは、温めたパット状のハーブ温熱具を平紐を用いて丸め、身体の所望の場所に押し当てる。【選択図】図１
0003214848.tif 000002
【実用新案登録請求の範囲】
【請求項１】
平面状態において、上部と、該上部から所定の間隔を有する底部と、前記上部から前記底部の両端にかけて連続する一対の側部とによって輪郭が形成された布袋と、
該布袋内に充填された乾燥ハーブと、
前記布袋の底部の両端にそれぞれ設けられた紐状体と、
を有することを特徴とするハーブ温熱具。
【請求項２】
前記布袋は、
前記上部から所定の間隔を置いて、前記底部と略平行に形成された縫い目を有し、
該縫い目と、前記底部と、前記一対の側部で囲まれる領域を、前記乾燥ハーブの充填領域としたことを特徴とする請求項１記載のハーブ温熱具。
【請求項３】
前記縫い目は、前記上部から前記底部までの間隔を前記布袋の高さとしたときに、前記上部から前記高さの１／３〜１／４の高さ位置に設けられたことを特徴とする請求項２記載のハーブ温熱具。
【請求項４】
前記布袋は、少なくとも一方の前記紐状体の取付位置の近傍に、他方の前記紐状体が前記布袋を貫通するための通し穴、
を有することを特徴とする請求項１〜３のいずれか一項に記載のハーブ温熱具。
【請求項５】
前記布袋が、平面状態において略三角形であって、
三角形の一つの辺が前記底部に相当し、
前記一つの辺に対する一つの角が、前記上部に相当し、
前記一つの角から前記一つの辺の両端を結ぶ二つの辺が、前記一対の側部に相当する、
ことを特徴とする請求項１〜４のいずれか一項に記載のハーブ温熱具。
【請求項６】
前記布袋は、正方形の布地の対角する２つの頂点を合わせて二つ折りにし、周囲を縫製したものであることを特徴とする請求項５に記載のハーブ温熱具。
【請求項７】
前記底部に相当する一つの辺の両端が、該一つの辺に対して垂直に切断されており、当該切断部分に、前記紐状体の一端が縫製により取り付けられていることを特徴とする請求項５又は６記載のハーブ温熱具。
【請求項８】
前記布袋の乾燥ハーブを充填する領域、前記底部、又は前記一対の側部の少なくともいずれかの位置に形成された開閉可能な開閉口、
を有することを特徴とする請求項１〜７のいずれか一項に記載のハーブ温熱具。
【請求項９】
乾燥ハーブが充填され、前記開閉口から前記布袋内に脱着可能に収納される内袋、
を有することを特徴とする請求項８記載のハーブ温熱具。
【請求項１０】
前記紐状体が、所定幅を有する平紐であることを特徴とする請求項１〜９のいずれか一項に記載のハーブ温熱具。
【考案の詳細な説明】
【技術分野】
【０００１】
本考案は、濡らさずに使用する乾式のハーブ温熱具に関するものであり、更に具体的には形態を変えて使用できるハーブ温熱具に関するものである。
【背景技術】
【０００２】
ハーブの有する癒し効果などを利用したグッズとして、例えば、下記特許文献１に示す高さ調節可能なハーブ入り枕がある。特許文献１のハーブ入り枕は、そばがらとハーブを混合して詰めた大きな布製の袋体の四隅に、高さ調節用の紐体を取付けた構成となっている。また、下記特許文献２に示すハーブパック式マスク及びハーブパックがある。特許文献２には、ハーブパックの両側に耳に掛けるためのひもを取り付けたハーブパック式マスクと、ハーブパックに接着剤層を設けたマスク用ハーブパックが開示されている。
【０００３】
しかしながら、これらはいずれも、枕やマスクといった特定の用途に用いるものであり、それ以外の用途に広く使用することはできない。また、ハーブは温めて使用することで得られる特有の効用があるが、そのような効用を発揮できるような温めて使用する点については何ら開示されていない。
【０００４】
ハーブを温めて利用する温熱具としては、従来より、ハーブボールやハーブパットが知られている。ハーブボールは、乾燥ハーブを木綿などの布でボール状に包んだもので、濡らしてから、蒸し器又は電子レンジで温めるか、もしくはプラスチック・バッグに入れて湯せんにかけて温める。使用するときには、体に押し当て、ハーブ成分を経皮吸収させることで、代謝を高めたり発汗を促したりするという効果が得られる。また、温め効果に加え、コリほぐし効果や、ハーブの香りによる癒し効果も得られる。このようなハーブボールは、一度濡らした後は冷蔵保存または冷凍保存が必須である。
【０００５】
一方、ハーブパットは、乾燥ハーブを様々な形状の平面的な布袋などに詰めたもので、濡らさずに使用する。温めるときは、そのまま電子レンジで温めるか、プラスチック・バッグに入れて湯せんにかける。使用するときには、身体に乗せたり、当てたり、挟んだりして使用する。ハーブパットは、濡らさずに使用するため、上述したハーブボールのように、ハーブ成分の経皮吸収による効果は得られないが、着衣の上からでも気軽に使用でき、セルフケアにも適しているという利点がある。そのほかの温め効果、コリほぐし効果やハーブの香りによる癒し効果については、ハーブボールと同様である。このようなハーブパットは、濡らさないため、繰り返し使用でき、常温でも長期保存が可能である。
【先行技術文献】
【特許文献】
【０００６】
【特許文献１】実用新案登録第３００７１９１号公報
【特許文献２】特開平１１−３４２２１６号公報
【考案の概要】
【考案が解決しようとする課題】
【０００７】
しかしながら、上述したハーブボールは、濡らして使用するため、冷蔵保存が必須である。特に、夏場は、カビの発生を防ぐために、冷蔵保存しても１週間から１０日間ほどしか保存することができない。冷凍すれば保存期間は長くできるものの、一度濡らしているため、カビの発生に関する問題を根本的に解決できないことは、冷蔵の場合と同様である。このように、ハーブボールは、一度使用してしまうと、濡らしているために長期保存ができないという不都合がある。また、使用する都度、作成もしくは購入しなければならず、作る場合には大量のハーブの購入又は保管が必要となるため、コストパフォーマンスも悪い。
【０００８】
一方、ハーブパットは、濡らさずに使用するため、上述したハーブボールの保存に関する課題は解決できるが、平面状のため、ハーブボールのように押し当てて使用することができない。
【０００９】
本考案は、以上のような点に着目したもので、長期保存が可能で、ハーブボールとしてもハーブパットとしても使用できるハーブ温熱具を提供することを、その目的とする。
【課題を解決するための手段】
【００１０】
本考案は、平面状態において、上部と、該上部から所定の間隔を有する底部と、前記上部から前記底部の両端にかけて連続する一対の側部とによって輪郭が形成された布袋と、該布袋内に充填された乾燥ハーブと、前記布袋の底部の両端にそれぞれ設けられた紐状体と、を有することを特徴とする。主要な形態の一つは、前記布袋は、前記上部から所定の間隔を置いて、前記底部と略平行に形成された縫い目を有し、該縫い目と、前記底部と、前記一対の側部で囲まれる領域を、前記乾燥ハーブの充填領域としたことを特徴とする。
【００１１】
他の形態の一つは、前記縫い目は、前記上部から前記底部までの間隔を前記布袋の高さとしたときに、前記上部から前記高さの１／３〜１／４の高さ位置に設けられたことを特徴とする。更に他の形態の一つは、前記布袋は、少なくとも一方の前記紐状体の取付位置の近傍に、他方の前記紐状体が前記布袋を貫通するための通し穴、を有することを特徴とする。
【００１２】
更に他の形態の一つは、前記布袋が、平面状態において略三角形であって、三角形の一つの辺が前記底部に相当し、前記一つの辺に対する一つの角が、前記上部に相当し、前記一つの角から前記一つの辺の両端を結ぶ二つの辺が、前記一対の側部に相当する、ことを特徴とする。更に他の形態の一つは、前記布袋は、正方形の布地の対角する２つの頂点を合わせて二つ折りにし、周囲を縫製したものであることを特徴とする。更に他の形態の一つは、前記底部に相当する一つの辺の両端が、該一つの辺に対して垂直に切断されており、当該切断部分に、前記紐状体の一端が縫製により取り付けられていることを特徴とする。
【００１３】
更に他の形態の一つは、前記布袋の乾燥ハーブを充填する領域、前記底部、又は前記一対の側部の少なくともいずれかの位置に形成された開閉可能な開閉口、を有することを特徴とする。更に他の形態の一つは、乾燥ハーブが充填され、前記開閉口から前記布袋内に脱着可能に収納される内袋、を有することを特徴とする。更に他の形態の一つは、前記紐状体が、所定幅を有する平紐であることを特徴とする。本考案の前記及び他の目的，特徴，利点は、以下の詳細な説明及び添付図面から明瞭になろう。
【考案の効果】
【００１４】
本考案のハーブ温熱具によれば、平面状態において、上部と、該上部から所定の間隔を有する底部と、前記上部から前記底部の両端にかけて連続する一対の側部とによって輪郭が形成された布袋と、該布袋内に充填された乾燥ハーブと、前記布袋の底部の両端にそれぞれ設けられた紐状体と、を有することとした。この構成により、濡らさずに使用できるため、繰り返し使用しながら常温での長期保存が可能になる。また、固く丸めればハーブボールとして使用でき、固く丸めず緩いハーブボールとして使用でき、広げればハーブパットとして使用できるため、セルフケア用としても施術者による施術用としても、いつでも手軽に使用できるという効果がある。更に、ハーブの香りによる癒し効果、温めて使用することによる温め効果やコリをほぐすなどの効果も得られる。
【図面の簡単な説明】
【００１５】
【図１】本考案の実施例１のハーブ温熱具を示す図であり、(A)はパット形態を示す平面図，(B)はボール形態を示す外観斜視図である。
【図２】前記実施例１のハーブ温熱具をパット形態からボール形態へ変形させる手順の一例を示す図である。
【図３】前記実施例１のハーブ温熱具をパット形態からボール形態へ変形させる手順の一例を示す図である。
【図４】前記実施例１の温熱具の使用例の一例を示す図である。
【図５】本考案の実施例２のハーブ温熱具を示す図である。
【図６】本考案の実施例３のハーブ温熱具を示す図である。
【図７】本考案の実施例４のハーブ温熱具の使用例を示す図である。
【考案を実施するための形態】
【００１６】
以下、本考案を実施するための最良の形態を、実施例に基づいて詳細に説明する。
【実施例１】
【００１７】
最初に、図１〜図４を参照しながら本考案の実施例１を説明する。本考案のハーブ温熱具は、濡らさずに使用できる乾式のものであり、丸めればハーブボールとして使用することができ、広げればハーブパットとして使用することができるものである。図１(A)には、本実施例のハーブ温熱具１０を広げた状態、すなわち、パット形態の平面図が示されている。ハーブ温熱具１０は、略三角形の布袋１２と、該布袋１２の底辺１６の両端側に設けられた平紐２４Ａ，２４Ｂと、前記布袋１２の内部に充填された乾燥ハーブ３０により構成される。
【００１８】
なお、本考案でいう「略三角形」とは、角が丸いものや、角の一部を切り落とした形状なども含むものとする。また、本実施例では、布袋１２を略三角形としたが、台形などの他の形状を採用することを妨げるものではない。本実施例のように布袋１２が略三角形であれば、頂点（角）１４が請求項１に示す上部に相当し、底辺１６が底部に相当し、辺１５Ａ，１５Ｂ及び端部２２Ａ，２２Ｂが一対の側部に相当する。また、例えば、台形であれば、上辺が請求項１に示す上部に相当し、底辺が底部に相当し、上辺と底辺の端部同士を接続する辺が、一対の側部に相当する。
【００１９】
前記布袋１２は、例えば、正方形の布地の対角する２つの頂点同士を合わせて周囲を縫製することにより形成される。前記布地としては、例えば、丈夫な綿の布地が好ましい。本実施例では、更に、前記底辺１６に対する頂点１４寄りの位置に、前記底辺１６と平行に形成された縫い目１８が設けられている。この縫い目１８によって、図１(B)に示す握り部３２と、乾燥ハーブ３０を充填する充填部２８側に、布袋１２が区分される。
【００２０】
また、本実施例では、前記布袋１２は、底辺１６の両端が、該底辺１６に対して垂直に切り落とされており、その端部２２Ａ，２２Ｂに、平紐２４Ａ，２４Ｂの一端が縫製により取り付けられている（縫い目２６Ａ，２６Ｂ参照）。また、前記縫い目２６Ａ，２６Ｂよりも内側の位置には、これら縫い目２６Ａ，２６Ｂと平行に、他の縫い目２０Ａ，２０Ｂが形成されている。本実施例では、この内側の縫い目２０Ａ，２０Ｂと、縫い目１８と、底辺１６と、辺１５Ａ，１５Ｂによって囲まれた領域が、乾燥ハーブ３０を充填可能な充填部２８となっている。
【００２１】
前記縫い目１８は、図示の例では、前記頂点１４から底辺１６へ引いた垂線を布袋の高さとしたときに、頂点１４から高さの１／３〜１／４の範囲に形成される。これは、充填部２８に収納する乾燥ハーブ３０の充填量と、握り部３２としての使いやすさを考慮した位置である。
【００２２】
充填部２８に収納するハーブとしては、例えば、ラベンダー、ローズマリー、レモングラス、カモミール、ローズ、ゼラニウム、バラ、のうちから選んだ複数のハーブをミックスして使用するが、一種のみを用いるようにしてもよい。むろん、他の公知の各種のハーブを使用するようにしてもよい。
【００２３】
以上のようなハーブ温熱具１０は、図１(B)に示すように、前記平紐２４Ａ，２４Ｂを、前記縫い目１８を目安にして巻き付けることで、ボール形態にすることができる。図２及び図３を参照して、パット形態からボール形態への組み立て手順の一例を説明する。まず、図２(A)に示すように、布袋１２を立たせて、内部の乾燥ハーブ３０を中央に寄せる。
【００２４】
次に、図２(B)に示すように、縫い目１８部分を握り、片方の平紐２４Ａが取り付けられた端部２２Ａを、縫い目１８付近にもってくる。同様に、図２(C)に示すように、他方の平紐２４Ｂが取り付けられた端部２２Ｂを、縫い目１８付近にもってきて、平紐２４Ａ，２４Ｂを交差させる。
【００２５】
そのまま、図３(A)に示すように、縫い目１８の下あたりを目安にして平紐２４Ａ，２４Ｂを巻き付ける。平紐２４Ａ，２４Ｂを使用しているため、図３(B)に示すように、巻き付けた状態では、巻き付けた部分も含め、握り部３２が立ち上がる。そして、図３(C)に示すように、巻き付けた平紐２４Ａ，２４Ｂを結ぶと、図３(D)に示すように、ボール形態のハーブ温熱具１０ができあがる。
【００２６】
次に、図４(A)を参照して、ハーブ温熱具１０の温め方を説明する。ハーブ温熱具１０は、パット形態で使用する場合も、ボール形態で使用する場合も、まず、パット形態のまま温める。温める方法としては、そのまま電子レンジ８０に入れて所定時間加熱するか、プラスチック・バッグ８２に入れた上で、鍋８４で湯せんにかけて所定時間加熱する。そして、いずれかの方法であたためたパット形態のハーブ温熱具１０を、図２及び図３に示した手順に従って、ボール形態に丸める。
【００２７】
ボール形態の場合の使い方の一例が、図４(B)に示されている。使用者５０は、自らハーブ温熱具１０をもって、肩５２などにボール状のハーブ温熱具１０を押し当てる。このとき、利用者５０は、前記平紐２４Ａ，２４Ｂを巻き付けた部分と握り部３２を利用して、ハーブ温熱具１０を握ることができる。当てる場所は、肩５２に限らず、腰やお腹、足などであってもよい。
【００２８】
施術者７０に当ててもらう場合には、例えば、図示のようにうつ伏せになり、ハーブ温熱具１０を所定の場所（例えば、背中５４）に押し当ててもらう。このとき、施術者７０は、前記平紐２４Ａ，２４Ｂを巻き付けた部分と握り部３２を利用して、ハーブ温熱具１０を握ることができる。また、押し当てるだけではなく、ハーブ温熱具１０を用いてマッサージを行うようにしてよい。むろん、仰向けの状態で施術を受けるようにしてもよい。
【００２９】
パット形態の使い方の一例が、図４(C)に示されている。使用者５０は、自ら平紐２４Ａ、２４Ｂをもって首５６にハーブ温熱具１０を当てて温めるようにしてもよいし、うつ伏せになって、腰５８にハーブ温熱具１０を広げて置くようにしてもよい。あるいは、腕６０にハーブ温熱具１０を巻きつけて、平紐２４Ａ，２４Ｂで固定するといった使い方も可能である。むろん、これらの使用箇所も一例であり、身体の他の部位に当てるようにしてもよい。
【００３０】
いずれの形態で使用する場合も、濡らさずに使用するため、着衣の上から気軽に使用することができる。また、濡らさないため、従来のハーブボールのような保存に関する問題がなく、常温で長期保存が可能であり、いつでも気軽に繰り返し使用することができる。また、温め効果、コリほぐし効果、ハーブの香りによる癒し効果については、従来のハーブボールやハーブパットと同様の効果がある。
【００３１】
このように、実施例１によれば、次のような効果がある。
(1)ハーブ温熱具１０を、布袋１２と、その内部に充填された乾燥ハーブ３０と、布袋１２の底辺１６の両端に設けた平紐２４Ａ，２４Ｂにより構成することとした。このため、平紐２４Ａ，２４Ｂを利用して丸めればハーブボールとして使用することができ、広げた状態のままでは、ハーブパットとして使用することができる。また、濡らさずに使用することができるため、着衣の上からでも気軽に使用できるとともに、繰り返し使用しながら常温での長期保存が可能となる。
(2)布袋１２を略三角形状としたので、頂点１４側を、丸めたときの握り部３２として使用できるとともに、底辺１６の両端側へいくほど充填部２８が細くなっているため、丸めるときに両端を交差させやすい。
【００３２】
(3)布袋１２の頂点１４寄りの位置に、底辺１６と平行に縫い目１８を設け、前記縫い目１８と底辺１６の間を、乾燥ハーブ３０を充填する充填部２８とした。このため、前記縫い目１８を、平紐２４Ａ，２４Ｂを巻き付ける位置の目安とすることができる。
(4)前記頂点１４から底辺１６へおろした垂線の高さを布袋１２の高さとしたときに、前記縫い目１８を、頂点１４から前記高さの１／３〜１／４の高さ位置に設けることとした。このため、乾燥ハーブ３０の充填量を把握しやすく、頂点１４側の握り部３２が握りやすい。
【００３３】
(5)布袋１２を、正方形の布地の対角する２つの頂点を合わせて二つ折りにして、その周囲を縫製することで形成したので、製作が容易である。
(6)ボール形状に丸めるときに、平帯状の平紐２４Ａ，２４Ｂを使用することしたので、平紐２４Ａ，２４Ｂを巻き付けた部分が使用時に握りやすい。
(7)底辺１６の両端を、底辺１６に対して垂直に切断し、当該切断部分に平紐２４Ａ，２４Ｂの一端を縫製により取り付けることとした。このように両端を切り落とすことにより丸めたときに余分な布地が重なることがなく、すっきりと丸めやすい。また、切断部分の縫製とともに平紐２４Ａ，２４Ｂも取り付けることができる。
【実施例２】
【００３４】
次に、図５を参照しながら本考案の実施例２を説明する。なお、上述した実施例１と同一ないし対応する構成要素には同一の符号を用いることとする（以下の実施例についても同様）。上述した実施例１のハーブ温熱具１０は、充填部２８に充填された乾燥ハーブ３０は、充填部２８の周囲が縫製されているため、取り出したり交換したりすることができない。本実施例では、図５(A)に示すハーブ温熱具１００のように、充填部２８に開閉口１０２を設け、乾燥ハーブ３０の量を増減したり、種類を変えたりできるものである。なお、開閉口１０２に図示しない開閉具を設け、乾燥ハーブ３０を充填した後にこぼれない構成としてもよい。また、開閉口１０２を、充填部２８ではなく、辺１５Ａ，１５Ｂや底辺１６に設け、開閉具により開閉可能としてもよい。
【００３５】
あるいは、図５(B)に示すハーブ温熱具１１０のように、内部に乾燥ハーブ３０を充填した内袋１２０を用意し、前記開閉口１０２から出し入れ可能としてよい。このような構成とすることにより、内袋１２０の交換によって異なるブレンドのハーブを使用することができる。また、内袋１２０を取り外せば、布袋１２自体を洗濯して常に清潔な状態で使用することも可能となる。なお、図５(B)に示すように、辺１５Ｂに開閉口１０４を設けて、内袋１２０の出し入れを行うようにしてもよいし、底辺１６に図示しない開閉口を設けて内袋１２０の出し入れを行うようにしてもよい。
【００３６】
このように、実施例２によれば、充填部２８などに開閉口１０２を設けることしたので、ハーブ温熱具１０の製作後に、乾燥ハーブ３０の充填量の増減などが可能となる。また、乾燥ハーブ３０を充填した内袋１２０を用意し、前記開閉口１０２や、辺１５Ｂに設けた開閉口１０４から出し入れ可能としたので、内袋１２０の交換により、使用するごとに異なるブレンドのハーブを利用することもできる。また、内袋１２０を取り外せば、布袋１２自体を洗濯することができ、常に清潔な状態で使用することが可能となる。他の基本的な作用・効果は、上述した実施例１と同様である。
【実施例３】
【００３７】
次に、図６を参照しながら本考案の実施例３を説明する。本実施例は、上述した実施例１の変形例であって、パッド状の布袋１２をボール状に丸めるときの固定を容易にするための工夫がされたものである。本実施例のハーブ温熱具１０Ａは、一方の平紐２４Ａの取付位置の近傍に，より具体的には、端部２２Ａ側の縫い目２６Ａと縫い目２０Ａの間の位置に、ボタンホールなどの通し穴４０を有している。
【００３８】
前記通し穴４０は、他方の平紐２４Ｂを通すためのもので、ハーブ温熱具１０Ａをボール状に丸めるときには、図６(B)に示すように、平紐２４Ｂを通し穴４０に貫通させて引っ張る。これにより、布袋１２の端部２２Ｂ側を折り曲げて充填部２８に引き付けて固定しやすくなり、その間に、他方の平紐２４Ａ側を巻き付けてボール状に丸めることができる。このように、実施例３によれば、通し穴４０を平紐２４Ａの取付位置の近傍に設けることとしたので、ボール状に丸めるときに固定しやすくなるという利点がある。他の基本的な作用・効果は、上述した実施例１と同様である。
【実施例４】
【００３９】
次に、図７を参照しながら本考案の実施例４を説明する。本実施例は、上述した実施例１の他の使用形態を示す図である。なお、ハーブ温熱具１０の構造自体は、実施例１のハーブ温熱具１０と同様である。まず、図７(A)の矢印に示すように、縫い目１８の近傍の位置で頂点１４側を底辺１６側へ向けて折り返す。そして、平紐２４Ａ，２４Ｂを収納部２８上で結び、図７(B)に示すように、結び目と充填部２８の間に、使用者５０や施術者７０の手を入れる空間４２を形成する。
【００４０】
そして、前記空間４２に手を入れてから、図７(C)に示すように持ち上げてつかむと、充填部２８が重みで下がり、ボール状に近い形状となる。本実施例の場合、上述した実施例１と異なり、平紐２４Ａ，２４Ｂを縫い目１８付近に巻き付けてしっかりと結ぶわけではないため、充填部２８は、身体に押し当てる広い面を有する緩やかなボール状となる。本実施例によれば、平紐２４Ａ，２４Ｂを巻き付けてボール状に形成することなく、使用者５０や施術者７０が持ちやすく、身体に押し当てる面を広くとることができるという利点がある。他の基本的な作用・効果は、上述した実施例１と同様である。
【００４１】
なお、本考案は、上述した実施例に限定されるものではなく、本考案の要旨を逸脱しない範囲内において種々変更を加え得ることができる。例えば、以下のものも含まれる。
(1)前記実施例で示した形状，寸法は一例であり、必要に応じて適宜変更してよい。
(2)前記実施例で示した布地も一例であり、綿生地に限定されるものではない。
(3)前記実施例で示した縫い目１８の位置も一例であり、高さの１／３〜１／４の範囲であれば、布袋１２の大きさに応じて適宜変更してよい。
(4)前記実施例で示した乾燥ハーブの種類も一例であり、他の公知の各種の乾燥ハーブを使用してよい。
【００４２】
(5)本考案で用いる紐状体は、平紐２４Ａ，２４Ｂに限るものではないが、ある程度の幅を有するものを用いると、縫い目１８付近に巻き付けたときに、ボール形態のハーブ温熱具１０を握りやすくなる。
(6)前記実施例２で示した開閉口１０２，１０４も一例であり、必要に応じて設ければよい。また、これら開閉口１０２,１０４を設ける位置も、必要に応じて適宜変更してよい。
(7)前記実施例２では、内袋１２０を交換する例を挙げたが、異なる色や柄の布袋１２を複数用意しておき、使用したい布袋１２に、内袋１２０を取り付けて使用してもよい。
【００４３】
(8)前記実施例３では、平紐２４Ａの取付位置近傍に通し穴４０を設けることとしたが、他方の平紐２４Ｂの取付位置近傍に通し穴を設けるようにしてもよいし、両方の平紐２４Ａ,２４Ｂの取付位置近傍にそれぞれ通し穴を設け、利用者や施術者の利き手や丸め作業のしやすさによって、いずれか一方の通し穴を利用するようにしてもよい。
(9)前記実施例４では、実施例１のハーブ温熱具１０の他の使用形態を示したが、むろん、実施例２や実施例３のハーブ温熱具で、実施例４と同様の使用のしかたをしてもよい。
【産業上の利用可能性】
【００４４】
本考案によれば、平面状態において、上部と、該上部から所定の間隔を有する底部と、前記上部から前記底部の両端にかけて連続する一対の側部とによって輪郭が形成された布袋と、該布袋内に充填された乾燥ハーブと、前記布袋の底部の両端にそれぞれ設けられた紐状体と、を有することとした。このため、着衣の上からでも気軽に使用できるとともに、繰り返し使用しながら常温での長期保存が可能となるため、ハーブ温熱具の用途に適用できる。特に、手軽に使用できるため、セルフケア用のハーブ温熱具の用途に好適である。
【符号の説明】
【００４５】
１０，１０Ａ：ハーブ温熱具
１２：布袋
１４：頂点（角）
１５Ａ，１５Ｂ：辺
１６：底辺
１８：縫い目
２０Ａ，２０Ｂ：縫い目
２２Ａ，２２Ｂ：端部
２４Ａ：２４Ｂ：平紐
２６Ａ，２６Ｂ：縫い目
２８：充填部
３０：乾燥ハーブ
３２：握り部
４０：通し穴
４２：空間
５０：使用者
５２：肩
５４：背中
５６：首
５８：腰
６０：腕
７０：施術者
８０：電子レンジ
８２：プラスチック・バッグ
８４：鍋
１００：ハーブ温熱具
１０２，１０４：開閉口
１１０：ハーブ温熱具
１２０：内袋
【図１】
0003214848.tif 000003
【図２】
0003214848.tif 000004
【図３】
0003214848.tif 000005
【図４】
0003214848.tif 000006
【図５】
0003214848.tif 000007
【図６】
0003214848.tif 000008
【図７】
0003214848.tif 000009